(57)【要約】【課題】本発明は、食卓や手等を汚さずに、簡単にフィルムを除去することのできる納豆容器を提供する。【解決手段】ヒンジ部４と対向する側の蓋部３の辺である第１辺３２から蓋部３の対角線及び対角線の交点である中心に向けて、スリット３３が設けられている。スリット３３は、蓋部３の辺のうち第１辺３２及びヒンジ部４に隣接する、第２辺３４又は第３辺３５に平行に且つ第２辺３４又は第３辺３５の全長の半分の長さに形成されている。すなわち、ヒンジ部４と対向する第１辺３２との間の距離の半分の長さに形成されている。合成樹脂で形成された正方形のフィルム６が、その端部であるフィルム端部６０が本体縁部２１と蓋縁部３０との間に位置するような大きさに形成されている。フィルム６は、幅広部３３０からフィルム端部６０の一部が露出しつつ本体縁部２１の上に乗るように配置されている。【選択図】図１
2018131221.tif 000002
【特許請求の範囲】
【請求項１】
開口部を含む納豆収容部を有する本体部と、
前記納豆収容部との間に設けられたフィルムと、
前記開口部を覆い塞ぐように設けられた蓋部と
を備える納豆容器であって、
前記蓋部又は前記本体部にはスリットが設けられ、前記フィルムが前記スリットを経由して引き出されることが可能に構成された納豆容器。
【請求項２】
前記蓋部は略多角形であり、
前記スリットは、前記蓋部の縁部から延び、前記縁部の近くに幅広部を備える請求項１に記載の納豆容器。
【請求項３】
前記蓋部は略正多角形であり、前記スリットは前記縁部から垂直に、前記蓋部に内接する仮想的な内接円の中心へ延び、前記仮想的な内接円の半径以下の長さである請求項２に記載の納豆容器。
【請求項４】
前記蓋部は略多角形であり、
前記スリットは、前記蓋部の互いに隣接する辺がなす角部から延び、前記蓋部の縁部の近くに幅広部を備える請求項１に記載の納豆容器。
【請求項５】
前記蓋部は略正多角形であり、前記スリットは前記蓋部に外接する仮想的な外接円の中心へ延び、前記仮想的な外接円の半径以下の長さである請求項４に記載の納豆容器。
【請求項６】
前記蓋部は略円形であり、
前記スリットは、前記蓋部の縁部から延び、前記縁部の近くに幅広部を備える請求項１に記載の納豆容器。
【請求項７】
前記蓋部は略真円形であり、前記スリットは前記蓋部の半径以下の長さである請求項６に記載の納豆容器。
【請求項８】
前記本体部は、前記蓋部と重なり合う本体縁部を備え、前記本体縁部は略多角形に形成されており、
前記スリットは、前記本体縁部から延び、前記本体縁部の近くに幅広部を備える請求項１に記載の納豆容器。
【請求項９】
前記スリットは、前記本体部の高さの半分以下の長さである請求項８に記載の納豆容器。
【請求項１０】
前記蓋部には複数の前記スリットが設けられ、前記スリットは交差部を有し、前記フィルムが前記スリットの前記交差部を経由して引き出される請求項１に記載の納豆容器。
【請求項１１】
前記スリットにより前記蓋部が第１蓋部と第２蓋部とに分割されていることを特徴とする請求項１に記載の納豆容器。
【発明の詳細な説明】
【技術分野】
【０００１】
この発明は納豆容器に関し、特に、開口部を含む納豆収容部に納豆を収容し、開口部を蓋部で覆い塞ぐ納豆容器に関する。
【背景技術】
【０００２】
一般に、市販されている納豆は、合成樹脂や紙等で形成された納豆容器に収容されて販売されている。こうした納豆容器の中には、納豆の収容部と容器の蓋部との間に、合成樹脂製のフィルムを設けているものがある。このフィルムは、収容した納豆の表面に貼り付けるようにして設けられるため、納豆を食べる際にフィルムを剥がして除去しようとすると、フィルムに付着した納豆の粘り気が食卓や手等に付着して不快感をもたらすことがあった。
【０００３】
特許文献１に記載の納豆容器では、収容部の開口部を覆い塞ぐ蓋部に穴を設け、その穴に指を入れてフィルムを摘み、穴からフィルムを引き出すことができるようにすることで、フィルムに付着した納豆の粘り気が食卓や手等に付着しにくくしている。
【０００４】
【特許文献１】特開２００７−４５４２７号公報
【発明の概要】
【発明が解決しようとする課題】
【０００５】
しかしながら、特許文献１に記載の納豆容器では、蓋部の穴から滑りやすいフィルムを指で摘んで引き出すことが難しい。また、蓋部の穴は指を入れることができるように大き目に形成されているため、フィルムに付着した納豆が穴から容器の外に引き出され、その後落下することで食卓や手等を汚してしまうことがあるという課題があった。
【０００６】
この発明は、このような課題を解決するためになされたものであり、食卓や手等を汚さずに、簡単にフィルムを除去することのできる納豆容器を提供することを目的とする。
【課題を解決するための手段】
【０００７】
上記の課題を解決するために、この発明に係る納豆容器は、開口部を含む納豆収容部を有する本体部と、納豆収容部との間に設けられたフィルムと、開口部を覆い塞ぐように設けられた蓋部とを備える納豆容器であって、蓋部又は本体部にはスリットが設けられ、フィルムがスリットを経由して引き出されることが可能に構成される。
【０００８】
また、蓋部は略多角形であり、スリットは、蓋部の縁部から延び、縁部の近くに幅広部を備えてもよい。
【０００９】
また、蓋部は略正多角形であり、スリットは縁部から垂直に、蓋部に内接する仮想的な内接円の中心へ延び、仮想的な内接円の半径以下の長さであってもよい。
【００１０】
また、蓋部は略多角形であり、スリットは、蓋部の互いに隣接する辺がなす角部から延び、蓋部の縁部の近くに幅広部を備えてもよい。
【００１１】
また、蓋部は略正多角形であり、スリットは蓋部に外接する仮想的な外接円の中心へ延び、仮想的な外接円の半径以下の長さであってもよい。
【００１２】
また、蓋部は略円形であり、スリットは、蓋部の縁部から延び、縁部の近くに幅広部を備えてもよい。
【００１３】
また、蓋部は略真円形であり、スリットは蓋部の半径以下の長さであってもよい。
【００１４】
また、本体部は、蓋部と重なり合う本体縁部を備え、本体縁部は略多角形に形成されており、スリットは、本体縁部から延び、本体縁部の近くに幅広部を備えてもよい。
【００１５】
また、スリットは、本体部の高さの半分以下の長さであってもよい。
【００１６】
また、蓋部には複数のスリットが設けられ、スリットは交差部を有し、フィルムがスリットの交差部を経由して引き出されてもよい。
【００１７】
また、スリットにより、蓋部が第１蓋部と第２蓋部とに分割されていてもよい。
【発明の効果】
【００１８】
この発明に係る納豆容器は、開口部を含む納豆収容部を有する本体部と、納豆収容部との間に設けられたフィルムと、開口部を覆い塞ぐように設けられた蓋部とを備える納豆容器であって、蓋部又は本体部にはスリットが設けられ、フィルムがスリットを経由して引き出されることが可能に構成されるので、食卓や手等を汚さずに、簡単にフィルムを除去することができる。
【図面の簡単な説明】
【００１９】
【図１】この発明の実施の形態１に係る納豆容器の概略図である。
【図２Ａ】図１に示す納豆容器の正面図である。
【図２Ｂ】図１に示す納豆容器の背面図である。
【図２Ｃ】図１に示す納豆容器の左側面図である。
【図２Ｄ】図１に示す納豆容器の右側面図である。
【図２Ｅ】図１に示す納豆容器の平面図である。
【図２Ｆ】図１に示す納豆容器の底面図である。
【図２Ｇ】図１に示す納豆容器のスリット部分を示す平面図である。
【図３】図１に示す納豆容器にフィルム及び納豆が収容されていない状態の、図２Ｅに示すＡ−Ａ線に沿った断面図である。
【図４】図１に示す納豆容器にフィルム及び納豆が収容されていない状態の、蓋部を取り除いた概略図である。
【図５】図１に示す納豆容器にフィルム及び納豆が収容された状態の、図２Ｅに示すＡ−Ａ線に沿った断面図である。
【図６】図１に示す納豆容器にフィルム及び納豆が収容された状態の、蓋部を取り除いた概略図である。
【図７】図１に示す納豆容器からフィルムを引き出す様子を示す概略図である。
【図８】この発明の実施の形態２に係る納豆容器の概略図である。
【図９Ａ】図８に示す納豆容器の正面図である。
【図９Ｂ】図８に示す納豆容器の背面図である。
【図９Ｃ】図８に示す納豆容器の右側面図である。
【図９Ｄ】図８に示す納豆容器の平面図である。
【図９Ｅ】図８に示す納豆容器のスリット部分を示す平面図である。
【図１０】図８に示す納豆容器にフィルム及び納豆が収容された状態の、図９Ｄに示すＢ−Ｂ線に沿った断面図である。
【図１１】図８に示す納豆容器からフィルムを引き出す様子を示す概略図である。
【図１２】この発明の実施の形態３に係る納豆容器の概略図である。
【図１３Ａ】図１２に示す納豆容器の正面図である。
【図１３Ｂ】図１２に示す納豆容器の背面図である。
【図１３Ｃ】図１２に示す納豆容器の左側面図である。
【図１３Ｄ】図１２に示す納豆容器の右側面図である。
【図１３Ｅ】図１２に示す納豆容器の平面図である。
【図１３Ｆ】図１２に示す納豆容器の底面図である。
【図１３Ｇ】図１２に示す納豆容器のスリット部分を示す平面図である。
【図１４】図１２に示す納豆容器にフィルム及び納豆が収容されていない状態の、蓋部を取り除いた概略図である。
【図１５】図１２に示す納豆容器にフィルム及び納豆が収容された状態の、図１３Ｅに示すＡ−Ａ線に沿った断面図である。
【図１６】図１２に示す納豆容器からフィルムを引き出す様子を示す概略図である。
【図１７】この発明の実施の形態４に係る納豆容器の概略図である。
【図１８Ａ】図１７に示す納豆容器の正面図である。
【図１８Ｂ】図１７に示す納豆容器の背面図である。
【図１８Ｃ】図１７に示す納豆容器の平面図である。
【図１８Ｄ】図１７に示す納豆容器のスリット部分を示す平面図である。
【図１９】図１７に示す納豆容器にフィルム及び納豆が収容された状態の、図１８Ｃに示すＡ−Ａ線に沿った断面図である。
【図２０】図１７に示す納豆容器からフィルムを引き出す様子を示す概略図である。
【図２１】この発明の実施の形態５に係る納豆容器の概略図である。
【図２２Ａ】図２１に示す納豆容器の正面図である。
【図２２Ｂ】図２１に示す納豆容器の背面図である。
【図２２Ｃ】図２１に示す納豆容器の平面図である。
【図２３】図２１に示す納豆容器に納豆が収容された状態の、図２２Ｃに示すＦ−Ｆ線に沿った断面図である。
【図２４】図２１に示す納豆容器からフィルムを引き出す様子を示す概略図である。
【図２５】この発明の実施の形態１〜７に係る納豆容器の変形例の概略図である。
【図２６】この発明の実施の形態６に係る納豆容器の概略図である。
【図２７】この発明の実施の形態７に係る納豆容器の概略図である。
【発明を実施するための形態】
【００２０】
実施の形態１．
以下、この発明の実施の形態を添付図面の図１〜図７に基づいて説明する。
図１，図２及び図３に示すように、納豆容器１は、合成樹脂で形成されており、内側に納豆を収容する本体部２と、本体部２と一体に形成された蓋部３とを備えている。
【００２１】
本体部２は本体縁部２１を有しており、蓋部３は、蓋縁部３０を有している。蓋部３は、本体縁部２１と蓋縁部３０とを接続しているヒンジ部４で折り返されることにより、本体部２に対向するように形成されている。また、本体部２の上端の縁部である本体縁部２１と、蓋部３の縁部である蓋縁部３０とは、対向する平面を有するように形成されており、蓋部３を閉じた時に互いに重なり合う。
【００２２】
蓋部３が設けられている側を納豆容器１の上方とすると、本体部２は、蓋部３から離間する側、すなわち納豆容器１の下方に波状の凹凸を有する底面２０を備えている。本体部２及び蓋部３は納豆容器１の上方から見ると、正方形になるように形成されている。
【００２３】
本体部２に納豆が収容された後に、輸送中には本体部２から蓋部３が容易に剥がれないように且つ納豆容器１を開封するときには本体部２から蓋部３が容易に剥がれるように、本体縁部２１と蓋縁部３０とが例えば熱溶着等の公知の手段によって接着されている。さらに、蓋部３の蓋縁部３０の内側には、本体部２の方に向かって突出するように溝部３１が形成されている。
【００２４】
図２に示すように、ヒンジ部４と対向する側の蓋部３の辺である第１辺３２から蓋部３の対角線Ｃ（図２Ｅ参照）及び対角線Ｄ（図２Ｅ参照）の交点である中心Ｅ（図２Ｅ参照）に向けて、スリット３３が設けられている。スリット３３は、蓋部３の辺のうち第１辺３２及びヒンジ部４に隣接する、第２辺３４又は第３辺３５に平行に且つ第２辺３４又は第３辺３５の全長の半分の長さに形成されている。別の言い方で説明すると、蓋部３に内接する仮想的な内接円を考えた場合、スリット３３は蓋縁部３０から垂直に、仮想的な内接円の中心と同じ位置にある中心Ｅへ延びており、スリット３３の長さは仮想的な内接円の半径と同じ長さに形成されている。
【００２５】
ここで、蓋部３を上方から見た平面上で、第１辺３２を底辺として見た場合の右辺が第２辺３４であり、左辺が第３辺３５である。また、スリット３３の第１辺３２に近い側の端部には、第１辺３２に近い側が幅広となるように楔形に蓋部３を切り取った形状である、幅広部３３０が形成されている。スリット３３のうち、幅広部３３０を除いた部分、すなわち蓋部３の中心Ｅに近い部分を狭部３３１という。
【００２６】
図３及び図４に示すように、本体部２には底面２０と側面２２とで囲われ、上方に開口部２３とを含む納豆収容部２４が形成されている。納豆収容部２４は、納豆を収容するために形成されている。
【００２７】
図５及び図６は、納豆収容部２４に実際に納豆５を収容した場合の本体部２の状態を示している。納豆５と開口部２３との間に、合成樹脂で形成された正方形のフィルム６が設けられている。フィルム６の中央部は、納豆５に密着するように配置されている。また、フィルム６は、その端部であるフィルム端部６０が本体縁部２１と蓋縁部３０との間に位置するような大きさに形成されている。図１及び図２を再び参照すると、フィルム６は、幅広部３３０からフィルム端部６０の一部が露出しつつ本体縁部２１の上に乗るように配置されている。
【００２８】
次に、図１，図２，図５及び図７を用いて、実施の形態１の納豆容器１から納豆５を取り出すためにフィルム６を除去する方法を説明する。
フィルム６を除去するためには、図１，図２Ｅ、図５に示すように蓋部３が閉じられたまま、幅広部３３０から露出しているフィルム端部６０の一部が、納豆５を取り出す者の指によって摘み上げられる。このとき、幅広部３３０の周囲に十分な広さの空間が確保されているのでフィルム端部６０を容易につまみ上げることができ、また、フィルム端部６０は納豆５に接触していないので指が汚れることは無い。
【００２９】
次に、図７に示すようにフィルム６が矢印Ｘの方向に摘み上げられると、幅広部３３０の形状により、フィルム６が蓋部３の狭部３３１に入りこむ。そして、フィルム６が狭部３３１を経由して本体部２の外側に引き出される。
【００３０】
フィルム６が狭部３３１を経由して引き出されることで狭部３３１に絞られるので、フィルム６に付着した納豆５の粘り気や粒が開口部２３から納豆収容部２４に落下して、本体部２の外側に出てくることが無い。フィルム６が完全に取り出されたら、蓋部３を開ければ納豆５を納豆収容部２４（図５参照）から取り出すことができる。
【００３１】
このように、開口部２３を含む納豆収容部２４を有する本体部２と、納豆収容部２４との間に設けられたフィルム６と、開口部２３を覆い塞ぐように設けられた蓋部３とを備える納豆容器であって、蓋部３又は本体部２にはスリット３３が設けられ、フィルム６がスリット３３を経由して引き出されることが可能に構成されているので、食卓や手等を汚さずに、簡単にフィルム６を剥がして除去することができる。
【００３２】
また、蓋部３は略四角形であり、スリット３３は、蓋部３の蓋縁部３０から延び、蓋縁部３０の近くに幅広部３３０を備えるので、フィルム６をスリット３３を経由して引き出すことが容易になる。
【００３３】
また、蓋部３は略正方形であり、スリット３３は蓋縁部３０から垂直に、蓋部３に内設する仮想的な内接円の中心Ｅへ延び、仮想的な内接円の半径以下の長さであるので、蓋部３の強度を確保することができる。
【００３４】
実施の形態２．
次に、この発明の実施の形態２に係る納豆容器を説明する。尚、以下の実施の形態において、図１〜図７の参照符号と同一の符号は、同一または同様な構成要素であるので、その詳細な説明は省略する。
実施の形態２は、実施の形態１に対して、蓋部３に設けるスリットの位置を変更したものである。
【００３５】
図８及び図９に示すように、納豆容器１ａの蓋部３ａは、本体部２と一体に形成されており、蓋部３ａの蓋縁部３０における、第１辺３２と、それに隣接する第２辺３４とがなす角部３６の位置から、蓋部３に示す対角線Ｃ（図９Ｄに示す）及び対角線Ｄ（図９Ｄに示す）の交点である中心Ｅ（図９Ｄに示す）に向けて、スリット３３ａが設けられている。
【００３６】
スリット３３ａは、蓋部３ａを上面から見たときの角部３６の位置から対角線に沿って且つ対角線の半分の長さに形成されている。別の言い方で説明すると、蓋部３ａに外接する仮想的な外接円を考えた場合、スリット３３ａは角部３６から、仮想的な外接円の中心と同じ位置にある中心Ｅへ延び、スリット３３ａの長さは仮想的な外接円の半径と同じ長さに形成されている。
【００３７】
また、スリット３３ａの角部３６に近い側の端部に、角部３６に近い側が幅広となるように楔形に蓋部３を切り取った形状である、幅広部３３０ａが形成されている。スリット３３ａのうち、幅広部３３０ａを除いた部分すなわち蓋部３ａの中心Ｅに近い部分を狭部３３１ａという。図１０に示すように、フィルム６は、幅広部３３０ａからフィルム端部６０の一部が露出しつつ本体縁部２１の上に乗るように配置されている。その他の構成は、実施の形態１と同じである。
【００３８】
次に、図１１を参照すると、フィルム６が矢印Ｘの方向に摘み上げられることで、実施の形態１と同様にフィルム６を取り出すことができる。
【００３９】
このように、蓋部３ａは略四角形であり、スリット３３ａは、蓋部３ａの互いに隣接する第１辺３２と第２辺３４がなす角部３６から延び、蓋部３ａの蓋縁部３０の近くに幅広部３３０ａを備えるので、実施の形態１と同様に、フィルム６をスリット３３ａを経由して引き出すことが容易になり、簡単にフィルム６を剥がして除去することができる。
【００４０】
また、蓋部３ａは略正方形であり、スリット３３ａは蓋部３ａに外接する仮想的な外接円の中心と同じ位置にある中心Ｅへ延び、仮想的な外接円の半径以下の長さであるので、蓋部３ａの強度を確保することができる。
【００４１】
なお、この実施の形態２では、角部３６の位置から、蓋部３ａの中心Ｅに向けて、スリット３３ａが設けられていたが、蓋縁部３０における、第１辺３２と、第３辺３５とがなす角部３７の位置から、蓋部３ａの中心Ｅに向けて、スリット３３ａが設けられていてもよい。この場合も、角部３６の位置からスリット３３ａを設けた場合と同じ効果が得られる。
【００４２】
実施の形態３．
次に、この発明の実施の形態３に係る納豆容器を説明する。
実施の形態３は、実施の形態１に対して、スリットを本体部２に設けたものである。
【００４３】
図１２〜図１５に示すように、ヒンジ部４と対向する側の本体第１辺２５から本体部２の中心に向けて、スリット３３ｂが設けられている。スリット３３ｂはヒンジ部４に隣接する、蓋部３ｂの第２辺３４又は蓋部３ｂの第３辺３５に平行に形成されており、また、本体部２の高さの半分以下の長さに形成されている。さらに、スリット３３ｂの端部のうち本体第１辺２５に近い側の端部に、本体第１辺２５に近い側が幅広となるように楔形に本体部２を切り取った形状である幅広部３３０ｂが形成されている。スリット３３ｂのうち、幅広部３３０ｂを除いた部分すなわち本体部２中心Ｅに近い部分を狭部３３１ｂという。フィルム６は、幅広部３３０ｂからフィルム端部６０の一部が露出しつつ蓋縁部３０の下に位置するように配置されている。また、蓋部３ｂにはスリットが設けられていない。その他の構成は、実施の形態１と同じである。
【００４４】
次に、図１６を参照すると、フィルム６が矢印Ｙの方向に摘み下げられることで実施の形態１と同様にフィルム６を取り出すことができる。
【００４５】
このように、本体部２ｂは、蓋部３ｂと重なり合う本体縁部２１を備え、本体縁部２１は略四角形に形成されており、スリット３３ｂは、本体縁部２１から延び、本体縁部２１の近くに幅広部３３０ｂを備えるので、実施の形態１と同様に、フィルム６をスリット３３ｂを経由して引き出すことが容易になり、食卓や手等を汚さずに、簡単にフィルム６を剥がして除去することができる。
【００４６】
また、スリット３３ｂは、本体部２ｂの高さの半分以下の長さであるので、本体部２ｂの強度を確保することができる。
【００４７】
実施の形態４．
次に、この発明の実施の形態４に係る納豆容器を説明する。
実施の形態４は、実施の形態１に対して、スリットを蓋部３に複数設けたものである。
【００４８】
図１７〜図１８に示すように、蓋部３ｃには、スリット３３３ｃと、スリット３３４ｃと、スリット３３５ｃとが設けられている。スリット３３３ｃ，３３４ｃ，３３５ｃは共に蓋部３ｃの対角線Ｃ（図１８Ｃ参照）及び対角線Ｄ（図１８Ｃ参照）の交点である中心Ｅ（図１８Ｃ参照）で交差しており交差部３３３０を形成している。スリット３３３ｃは第２辺３４及び第３辺３５に平行に設けられ、スリット３３４ｃ，３３５ｃはそれぞれ蓋部３ｃの対角線Ｃ及び対角線Ｄに沿って設けられている。また、スリット３３３ｃ，３３４ｃ，３３５ｃの長さは、対角線Ｃ及び対角線Ｄの長さの半分以下である。
【００４９】
図１９に示すように、フィルム６の中央部は、その一部が突出部６１として交差部３３３０を経由して蓋部３ｃから上方へ突出し、中央部のうち残りの部分は納豆５に密着するように配置されている。また、フィルム６はその端部であるフィルム端部６０が、本体縁部２１と蓋縁部３０との間に位置するような大きさに形成されている。その他の構成は、実施の形態１と同じである。
【００５０】
次に、フィルム６を除去するためには、図１７，１８Ｃに示すように蓋部３が閉じられたまま、交差部３３３０から突出している突出部６１が、摘み上げられる。そして、図２０に示すようにフィルム６が矢印Ｘの方向に摘み上げられることで実施の形態１と同様にフィルム６を取り出すことができる。
【００５１】
このように、蓋部３ｃにはスリット３３３ｃと、スリット３３４ｃと、スリット３３５ｃとが設けられ、スリット３３３ｃと、スリット３３４ｃと、スリット３３５ｃとは交差部３３３０を有し、フィルム６が交差部３３３０を経由するので、実施の形態１と同様に、フィルム６を交差部３３３０を経由して引き出すことが容易になり、食卓や手等を汚さずに、簡単にフィルム６を剥がして除去することができる。
【００５２】
なお、実施の形態４では、蓋部３ｃには、スリット３３３ｃと、スリット３３４ｃと、スリット３３５ｃとの３つのスリットが設けられていたが、交差部３３３０で交差し、蓋部３ｃに十分な強度が確保でき、さらにフィルム６の引出しに支障が無いのであれば、スリットの数は３つに限定されず、２つ以上の適当な数であってもよい。
【００５３】
実施の形態５．
次に、この発明の実施の形態５に係る納豆容器を説明する。
実施の形態５は、実施の形態１に対して、スリットが蓋部３の一辺の全長と同じ長さに設けられていることを特徴とする。
【００５４】
図２１〜図２３に示すように、納豆容器１ｄの蓋部３ｄには、第１辺３２に平行にスリット３３ｄが設けられている。また、スリット３３ｄは第１辺３２の全長と同じ長さであり、第２辺３４及び第３辺３５の全長の半分の位置同士をつなぐように設けられている。すなわち、蓋部３ｄはスリット３３ｄにより、第１辺３２側の第１蓋部３８ｄとヒンジ部４側の第２蓋部３９ｄとに分割されている。その他の構成は実施の形態１と同じである。
【００５５】
次に、図２０，図２３及び図２４を用いて、実施の形態３の納豆容器１ｄから納豆５を取り出すためにフィルム６を除去する方法を説明する。
フィルム６を除去するためには、図２０に示す第１蓋部３８ｄを一度取り外し、フィルム６が納豆５（図２３参照）を取り出す者の指によって摘み上げられる。
【００５６】
次に、図２４に示すように、フィルム６を第１蓋部３８ｄと第２蓋部３９ｄとの間に挟み込んで、第１蓋部３８ｄを蓋縁部３０上に戻す。次に、フィルム６が矢印Ｘの方向に摘み上げられると、実施の形態１と同様にフィルム６がスリット３３ｄを経由して引き出される。
【００５７】
このように、スリット３３ｄにより蓋部３ｄが第１蓋部３８ｄと第２蓋部３９ｄとに分割されているので、実施の形態１と同様に、フィルム６をスリット３３ｄを経由して引き出すことが容易になり、食卓や手等を汚さずに、簡単にフィルム６を剥がして除去することができる。
【００５８】
なお、実施の形態５では、蓋部３ｄはスリット３３ｄにより第１蓋部３８ｄと第２蓋部３９ｄとに分割されていたが、フィルム６がスリットを経由して引き出される構造であれば、スリットの位置及び向きは任意に変更してよいし、スリットを複数設けてもよい。
【００５９】
実施の形態６．
次に、この発明の実施の形態６に係る納豆容器を説明する。
実施の形態６は、実施の形態１に対して、本体部及び蓋部の形状を八角形に変更したものである。
【００６０】
図２６に示すように、本体部２ｅ及び蓋部３ｅは納豆容器１ｅの上方から見ると正八角形であるように形成されている。蓋部３ｅは、本体縁部２１ｅと蓋縁部３０ｅとの一辺に形成され本体縁部２１ｅと蓋縁部３０ｅとを接続しているヒンジ部４ｅで折り返されることにより、本体部２ｅに対向するように形成されている。
【００６１】
本体部２ｅは、側面２２ｅと、蓋部３ｅから離間する側、すなわち納豆容器１ｅの下方に平坦な底面２０ｅを備えている。
【００６２】
ヒンジ部４ｅと対向する側の蓋部３ｅの辺である第１辺３２ｅから蓋部３ｅの対角線Ｆ及び対角線Ｇの交点である中心Ｅに向けて、スリット３３ｅが設けられている。スリット３３ｅは、蓋部３ｅの辺のうち第１辺３２ｅ及びヒンジ部４ｅに隣接する辺にさらに隣接する、第２辺３４ｅ又は第３辺３５ｅに平行に且つ対向する第１辺３２ｅとヒンジ部４ｅとの間の距離の半分の長さに形成されている。別の言い方で説明すると、蓋部３ｅに内接する仮想的な内接円を考えた場合、スリット３３ｅは蓋縁部３０ｅから垂直に、仮想的な内接円の中心と同じ位置にある中心Ｅへ延びており、スリット３３ｅの長さは仮想的な内接円の半径と同じ長さに形成されている。
【００６３】
ここで、蓋部３ｅを上方から見た平面上で、第１辺３２ｅを底辺として見た場合の右辺が第２辺３４ｅであり、左辺が第３辺３５ｅであり、ヒンジ部４ｅは蓋部３ｅの辺の一つを構成している。また、スリット３３ｅの第１辺３２ｅに近い側の端部には、第１辺３２ｅに近い側が幅広となるように楔形に蓋部３ｅを切り取った形状である、幅広部３３０ｅが形成されている。スリット３３ｅのうち、幅広部３３０ｅを除いた部分、すなわち蓋部３ｅの中心Ｅに近い部分を狭部３３１ｅという。
【００６４】
フィルム６ｅは正八角形であり、幅広部３３０ｅからフィルム端部６０ｅの一部が露出しつつ本体縁部２１ｅの上に乗るように配置されている。その他の構成とフィルム６ｅを引き出す方法とは、実施の形態１と同じである。
【００６５】
このように、開口部を含む納豆収容部を有する本体部２ｅと、納豆収容部との間に設けられたフィルム６ｅと、開口部２３ｅを覆い塞ぐように設けられた蓋部３ｅとを備える納豆容器であって、蓋部３ｅにはスリット３３ｅが設けられ、フィルム６ｅがスリット３３ｅを経由して引き出されることが可能に構成されているので、食卓や手等を汚さずに、簡単にフィルム６ｅを剥がして除去することができる。
【００６６】
また、蓋部３ｅは略八角形であり、スリット３３ｅは、蓋部３ｅの蓋縁部３０ｅから延び、蓋縁部３０ｅの近くに幅広部３３０ｅを備えるので、フィルム６ｅをスリット３３ｅを経由して引き出すことが容易になる。
【００６７】
また、蓋部３ｅは略正八角形であり、スリット３３ｅは蓋縁部３０ｅから垂直に、蓋部３に内設する仮想的な内接円の中心Ｅへ延び、仮想的な内接円の半径以下の長さであるので、蓋部３ｅの強度を確保することができる。
【００６８】
実施の形態７．
次に、この発明の実施の形態７に係る納豆容器を説明する。
実施の形態７は、実施の形態１に対して、本体部及び蓋部の形状を円形に変更したものである。
【００６９】
図２７に示すように、本体部２ｆ及び蓋部３ｆは納豆容器１ｆの上方から見ると真円形であるように形成されている。蓋部３ｆは、本体縁部２１ｆと蓋縁部３０ｆとの一部に形成され本体縁部２１ｆと蓋縁部３０ｆとを接続しているヒンジ部４ｆで折り返されることにより、本体部２ｆに対向するように形成されている。
【００７０】
本体部２ｆは、側面２２ｆと、蓋部３ｆから離間する側、すなわち納豆容器１ｆの下方に平坦な底面２０ｆを備えている。
【００７１】
蓋部３ｆの中心Ｅに向けて、スリット３３ｆが設けられている。スリット３３ｆは、蓋部３ｆの半径の長さに形成されている。また、スリット３３ｆの蓋縁部３０ｆに近い側の端部には、蓋縁部３０ｆに近い側の端部が幅広となるように楔形に蓋部３ｆを切り取った形状である、幅広部３３０ｆが形成されている。スリット３３ｆのうち、幅広部３３０ｆを除いた部分、すなわち蓋部３ｆの中心Ｅに近い部分を狭部３３１ｆという。
【００７２】
フィルム６ｆは真円形であり、幅広部３３０ｆからフィルム端部６０ｆの一部が露出しつつ本体縁部２１ｆの上に乗るように配置されている。その他の構成とフィルム６ｆを引き出す方法とは、実施の形態１と同じである。
【００７３】
このように、開口部を含む納豆収容部を有する本体部２ｆと、納豆収容部との間に設けられたフィルム６ｆと、開口部を覆い塞ぐように設けられた蓋部３ｆとを備える納豆容器であって、蓋部３ｆ又は本体部２ｆにはスリット３３ｆが設けられ、フィルム６ｆがスリット３３ｆを経由して引き出されることが可能に構成されているので、食卓や手等を汚さずに、簡単にフィルム６ｆを剥がして除去することができる。
【００７４】
また、蓋部３ｆは略円形であり、スリット３３ｆは、蓋部３ｆの蓋縁部３０ｆから延び、蓋縁部３０ｆの近くに幅広部３３０ｆを備えるので、フィルム６ｆをスリット３３ｆを経由して引き出すことが容易になる。
【００７５】
また、蓋部３ｆは略真円形であり、スリット３３ｆは蓋部３ｆの半径の長さに形成されているので、蓋部３ｆの強度を確保することができる。
【００７６】
なお、実施の形態１〜７に記載の納豆容器１，１ａ，１ｂ，１ｃ，１ｄ，１ｅ，１ｆを及びフィルム６，６ｅ，６ｆは、合成樹脂以外の公知の素材で形成されていてもよい。そのようなものとして、例えば防水加工を施した紙等を挙げることができる。
【００７７】
また、実施の形態１，３〜５では、納豆容器１，１ｂ，１ｃ，１ｄを上方から見た時に蓋部３，３ｂ，３ｃ，３ｄ及び本体部２，２ｂは正方形であったが、蓋部３，３ｂ，３ｃ，３ｄ，３ｅ及び本体部２，２ｂの縦横比は任意の値であってもよいし、上方から見た時に例えば角部が円形に丸められている等の、完全な正方形でない略四角形の形状であってもよいし、例えば正六角形等の四角形以外の任意の多角形であってもよい。さらに、実施の形態６では、蓋部３ｅは正八角形であったが、角部が円形に丸められていてもよいし、正八角形ではない八角形であってもよい。さらにまた、実施の形態７では、蓋部３ｆは真円形であったが楕円形であってもよい。
【００７８】
また、実施の形態２では、納豆容器１ａを上方から見た時に蓋部３ａ及び本体部２は正方形であったが、蓋部３ａ及び本体部２の縦横比は任意の値であってもよいし、上方から見た時に例えば角部が円形に丸められている等の、完全な正方形でない略四角形の形状であってもよいし、例えば正六角形等の四角形以外の多角形であってもよい。
【００７９】
また、実施の形態１〜７では、蓋部３，３ａ，３ｂ，３ｃ，３ｄ，３ｅ，３ｆは、溝部３１を除いて平面に形成されていたが、図２５に示すように、蓋縁部３０より内側を納豆収容部２４側に凹ませて蓋凹部３００を形成し、この蓋凹部３００に公知の袋入り調味料等を収容する構成としてもよい。
【００８０】
また、実施の形態１〜７に記載の蓋部３，３ａ，３ｂ，３ｃ，３ｄ，３ｅ，３ｆには溝部３１が形成されていたが、この溝部３１は設けられていなくてもよいし、他の任意の形状であってもよい。さらに、蓋部３，３ａ，３ｂ，３ｃ，３ｄ，３ｅ，３ｆには、納豆５の呼吸を妨げないために公知の微小な穴が開けられていてもよい。
【００８１】
また、実施の形態１〜７における、スリット３３，３３ａ，３３ｂ，３３ｄ，３３ｅ，３３ｆ，３３３ｃ，３３４ｃ，３３５ｃの長さは、それぞれ蓋部３，３ａ，３ｂ，３ｃ，３ｄ，３ｅ，３ｆ，及び本体部２，２ｂの強度を損なわない範囲で任意に設定してもよい。さらに、幅広部３３０ａ，３３０ｂ，３３０ｅ，３３０ｆの形状は、楔形以外の任意の形状であってもよい。
【００８２】
また、実施の形態１〜７では、納豆５が納豆収容部２４に収容されている時にフィルム６，６ｅ，６ｆが接触しているが、納豆５にフィルム６が接触しない構成であってもよい。さらに、フィルム６の形状は、本体部２，２ｂ，２ｅ，２ｆの形状に合わせて例えば長方形、八角形又は円形等の任意の形状であってもよい。
【００８３】
なお、図２Ｇ，図９Ｅ，図１３Ｇ，図１８Ｄは、それぞれ、各実施形態における発明の外観上の特徴を実線で表したものである。この特徴には、幅広部３３０，３３０ａ，３３０ｂの形状、狭部３３１，３３１ａ，３３１ｂの形状及びこれらを組み合わせた形状があり、また、スリット３３３ｃ，３３４ｃ，３３５ｃと交差部３３３０とを組み合わせた形状がある。
【符号の説明】
【００８４】
１，１ａ，１ｂ，１ｃ，１ｄ，１ｅ，１ｆ  納豆容器、２，２ｂ，２ｅ，２ｆ  本体部、３，３ａ，３ｂ，３ｃ，３ｄ，３ｅ，３ｆ  蓋部、４，４ｅ，４ｆ  ヒンジ部（辺）、５  納豆、６，６ｅ，６ｆ  フィルム、２３  開口部、２４  納豆収容部、３０，３０ｅ，３０ｆ  蓋縁部（縁部）、３２，３２ｅ  第１辺（辺）、３３，３３ａ，３３ｂ，３３ｄ，３３ｅ，３３ｆ，３３３ｃ，３３４ｃ，３３５ｃ  スリット、３４，３４ｅ  第２辺（辺）、３５，３５ｅ  第３辺（辺）、３６，３７  角部、３８ｄ  第１蓋部、３９ｄ  第２蓋部、３３０，３３０ａ，３３０ｂ，３３０ｅ，３３０ｆ  幅広部、３３３０  交差部、Ｅ  中心。
【図１】
2018131221.tif 000003
【図２Ａ】
2018131221.tif 000004
【図２Ｂ】
2018131221.tif 000005
【図２Ｃ】
2018131221.tif 000006
【図２Ｄ】
2018131221.tif 000007
【図２Ｅ】
2018131221.tif 000008
【図２Ｆ】
2018131221.tif 000009
【図２Ｇ】
2018131221.tif 000010
【図３】
2018131221.tif 000011
【図４】
2018131221.tif 000012
【図５】
2018131221.tif 000013
【図６】
2018131221.tif 000014
【図７】
2018131221.tif 000015
【図８】
2018131221.tif 000016
【図９Ａ】
2018131221.tif 000017
【図９Ｂ】
2018131221.tif 000018
【図９Ｃ】
2018131221.tif 000019
【図９Ｄ】
2018131221.tif 000020
【図９Ｅ】
2018131221.tif 000021
【図１０】
2018131221.tif 000022
【図１１】
2018131221.tif 000023
【図１２】
2018131221.tif 000024
【図１３Ａ】
2018131221.tif 000025
【図１３Ｂ】
2018131221.tif 000026
【図１３Ｃ】
2018131221.tif 000027
【図１３Ｄ】
2018131221.tif 000028
【図１３Ｅ】
2018131221.tif 000029
【図１３Ｆ】
2018131221.tif 000030
【図１３Ｇ】
2018131221.tif 000031
【図１４】
2018131221.tif 000032
【図１５】
2018131221.tif 000033
【図１６】
2018131221.tif 000034
【図１７】
2018131221.tif 000035
【図１８Ａ】
2018131221.tif 000036
【図１８Ｂ】
2018131221.tif 000037
【図１８Ｃ】
2018131221.tif 000038
【図１８Ｄ】
2018131221.tif 000039
【図１９】
2018131221.tif 000040
【図２０】
2018131221.tif 000041
【図２１】
2018131221.tif 000042
【図２２Ａ】
2018131221.tif 000043
【図２２Ｂ】
2018131221.tif 000044
【図２２Ｃ】
2018131221.tif 000045
【図２３】
2018131221.tif 000046
【図２４】
2018131221.tif 000047
【図２５】
2018131221.tif 000048
【図２６】
2018131221.tif 000049
【図２７】
2018131221.tif 000050